(57)【要約】      （修正有）【課題】外観を良好で汚損、劣化等が生じにくい標識柱を提供する。【解決手段】既設の杭状物Ｐの設置面Ｇから露出した部分の全体を覆う内筒１と、内筒１の外側を覆う緩衝材２と、緩衝材２の外側を覆う外筒３と、外筒３に設けられた表示部４と、外筒２の下端部に取付けられ設置面Ｇに当接するフランジ５と、フランジ５を設置面Ｇに固定する固定ピン６とを備えている。【選択図】図１
0003162232.tif 000002
【実用新案登録請求の範囲】
【請求項１】
既設の杭状物の設置面から露出した部分の全体を覆う内筒と、内筒の外側を覆う緩衝材と、緩衝材の外側を覆う外筒と、外筒に設けられた表示部と、外筒の下端部に取付けられ設置面に当接するフランジと、フランジを設置面に固定する固定ピンとを備えてなる標識柱。
【請求項２】
請求項１の標識柱において、外筒は上端部に交換可能な頭部が設けられていることを特徴とする標識柱。
【請求項３】
請求項２の標識柱において、外筒の頭部は発光する表示部を内蔵していることを特徴とする標識柱。
【請求項４】
請求項１〜３のいずれかの標識柱において、外筒は中途部に変形可能なフレキシブル部が設けられていることを特徴とする標識柱。
【請求項５】
請求項１〜４のいずれかの標識柱において、内筒は軸長方向の全長に切割が設けられていることを特徴とする標識柱。
【考案の詳細な説明】
【技術分野】
【０００１】  本考案は、既設の杭状物を利用して道路等に設置されて区画，案内等の各種の表示を行う標識柱に係る技術分野に属する。
【背景技術】
【０００２】  標識柱は、道路工事の車線区画やイベントの臨時的な案内等に対応するために、緊急的に設置が要求される場合がある。緊急的に設置される標識柱には、設置工事が容易であることが要求されるとともに、好ましくは既設の杭状物を利用可能であることが望まれる。【０００３】  従来、標識柱としては、例えば、特開平５−１１２９１４号公報に記載のものが知られている。【０００４】  この従来の標識柱は、支柱と、支柱の一部に回動可能に嵌合される内筒と、内筒の外側を覆う緩衝材と、緩衝材の外側を覆う柔軟性外皮と、柔軟性外皮の外側面に設けられた表示部と、支柱の下部に取付けられ内筒を支柱に抜止めする係止金具とからなる。【０００５】  この従来の標識柱によると、支柱を既設の杭状物に代替すれば、既設の杭状物に内筒を嵌合させて係止金具を掛けるだけの設置工事で設置することができる。
【考案の開示】
【考案が解決しようとする課題】
【０００６】  前述の従来の標識柱では、係止金具が設けられる関係から支柱（既設の杭状物）の下部が露出してしまうため、外観が不良であるという問題点がある。また、露出した支柱（既設の杭状物）の下部に凹凸構造となる係止金具が存在して雨水，土砂が付着しやすいため、汚損，劣化等が生じやすいという問題点がある。【０００７】  本考案は、このような問題点を考慮してなされたもので、外観が良好で汚損，劣化等が生じにくい標識柱を提供することを課題とする。
【課題を解決するための手段】
【０００８】  前述の課題を解決するため、本考案に係る標識柱は、実用新案登録請求の範囲の各請求項に記載の手段を採用する。【０００９】  即ち、請求項１では、既設の杭状物の設置面から露出した部分の全体を覆う内筒と、内筒の外側を覆う緩衝材と、緩衝材の外側を覆う外筒と、外筒に設けられた表示部と、外筒の下端部に取付けられ設置面に当接するフランジと、フランジを設置面に固定する固定ピンとを備えてなる。【００１０】  この手段では、既設の杭状物の設置面から露出した部分の全体を内筒，緩衝材，外筒で覆うことで、既設の杭状物の露出を避けることができる。また、外筒の下端部に取付けられ設置面に当接するフランジを固定ピンで設置面に固定することで、既設の杭状物や外筒の下部に雨水，土砂が付着しやすい凹凸構造が存在しなくなる。【００１１】  また、請求項２では、請求項１の標識柱において、外筒は上端部に交換可能な頭部が設けられていることを特徴とする。【００１２】  この手段では、外筒に交換可能な頭部が設けられることで、外筒に設けられる表示部を交換することができる。【００１３】  即ち、請求項３では、請求項２の標識柱において、外筒の頭部は発光する表示部を内蔵していることを特徴とする。【００１４】  この手段では、外筒の頭部に内蔵された表示部が発光することで、表示部が顕著化される。【００１５】  また、請求項４では、請求項１〜３のいずれかの標識柱において、外筒は中途部に変形可能なフレキシブル部が設けられていることを特徴とする。【００１６】  この手段では、外筒にフレキシブル部が設けられることで、車両の衝突等の外力の衝撃をフレキシブル部で吸収することができる。【００１７】  また、請求項５では、請求項１〜４のいずれかの標識柱において、内筒は軸長方向の全長に切割が設けられていることを特徴とする。【００１８】  この手段では、内筒に切割が設けられることで、内筒の径の拡張が可能になる。
【考案の効果】
【００１９】  本考案に係る標識柱は、既設の杭状物の設置面から露出した部分の全体を内筒，緩衝材，外筒で覆うことで、既設の杭状物の露出を避けることができるため、外観が良好になる効果がある。また、外筒の下端部に取付けられ設置面に当接するフランジを固定ピンで設置面に固定することで、既設の杭状物や外筒の下部に雨水，土砂が付着しやすい凹凸構造が存在しなくなるため、汚損，劣化等が生じにくい効果がある。【００２０】  さらに、請求項２として、外筒に交換可能な頭部が設けられることで、外筒に設けられる表示部を交換することができるため、表示機能が多様化される効果がある。【００２１】  さらに、請求項３として、外筒の頭部に内蔵された表示部が発光することで、表示部が顕著化されるため、高度の表示機能が備えられる効果がある。【００２２】  さらに、請求項４として、外筒にフレキシブル部が設けられることで、車両の衝突等の外力の衝撃をフレキシブル部で吸収することができるため、外力の衝撃による損壊を防止することができる効果がある。【００２３】  さらに、請求項５として、内筒に切割が設けられることで、内筒の径の拡張が可能になるため、径の異なる既設の杭状物に使用する汎用性が得られる効果がある。
【考案を実施するための最良の形態】
【００２４】  以下、本考案に係る標識柱を実施するための最良の形態を図面に基づいて説明する。【００２５】  図１〜図６は、本考案に係る標識柱を実施するための最良の形態の第１例を示すものである。【００２６】  第１例は、図１，図２に示すように、内筒１，緩衝材２，外筒３，表示部４，フランジ５，固定ピン６を主要部として構成されている。【００２７】  内筒１は、既設の杭状物（例えば、鉄棒）Ｐに嵌合されるように塩化ビニル（ＰＶＣ）等の合成樹脂材で円筒形に形成され、既設の杭状物Ｐの設置面Ｇから露出した部分の全体を覆うことができる軸長を備えている。【００２８】  緩衝材２は、圧縮変形が可能な発泡性の合成樹脂材で内筒１の外側に嵌合される肉厚の円筒形に形成され、外筒３の後述のフレキシブル部３１に対面する部分を除いて内筒１とほぼ同一の軸長を備えている。この緩衝材２の内周面は、必要に応じて内筒１の外周面に接着剤等で接着される。【００２９】  外筒３は、塩化ビニル（ＰＶＣ）等の合成樹脂材で緩衝材２の外側に嵌合される円筒形に形成され、内筒１，緩衝材２よりも長い軸長を備えている。この外筒３の内周面は、必要に応じて緩衝材２の外周面に接着剤等で接着される。外筒２の下端部付近には、蛇腹構造により自在に変形可能なフレキシブル部３１が設けられている。外筒３の上端部には、交換可能な頭部３２が設けられている。頭部３２は、表示部４の一部等を収容する中空構造に形成され、頭部３２を除いた外筒３の外径よりも大きな外径の大径部分３２ａと、頭部３２を除いた外筒３の内径よりも小さな外径の小径部分３２ｂとからなる。大径部分３２ａは、外周面に光を透過する透光面３２ｃが設けられている。小径部分３２ｂは、頭部３２を除いた外筒３の上端部に嵌合可能になっている。頭部３２と頭部３２を除いた外筒３とは、係合構造３３で着脱可能になっている。係合構造３３は、図５に示すように、頭部３２を除いた外筒３の上端部の縁辺からＬ字形に切込まれた係合溝３３ａと、頭部３２の小径部分３２ｂに設けられ係合溝３３ａの内部を移動される係合突起３３ｂとからなる。即ち、頭部３２は、小径部分３２を頭部３２を除いた外筒３の上端部に押込んで回転させることによって係合構造３３を係合させて取付けることができ、小径部分３２を頭部３２を除いた外筒３の内部で回転させることによって係合構造３３を離脱させ引抜いて取外すことができる。【００３０】  外筒３の頭部３２の大径部分３２ａには、図４に示すように、透光面３２ｃに向けられた表示部４の後述の発光表示体４２と、上面に向けられた太陽電池７と、太陽電池７に接続されたバッテリ８とが内蔵されている。【００３１】  外筒３の頭部３２の小径部分３２ｂには、太陽電池７，バッテリ８に接続された電気制御部９が内蔵されている。なお、小径部分３２ｂの底面には、電気制御部９に接続された操作スイッチ１０が突出されている。【００３２】  内筒１，外筒３の下端部の間は、図４に示すように、端板２０で閉塞され緩衝材２への水等の浸入が防止されている。【００３３】  表示部４は、光を反射する反射剤が定着されたポリエチレン（ＰＥ），ポリプロピレン（ＰＰ）等の合成樹脂シートが頭部３２を除いた外筒３の上部付近に巻付け貼着さ���た反射表示帯４１と、発光ダイオード（ＬＥＤ）等の発光体とレンズとが結合され外筒３の頭部３２の大径部分３２ａに透光面３２ｃと対面するように内蔵された発光表示体４２とからなる。【００３４】  フランジ５は、設置面Ｇに当接される段付きのリング盤形に形成されている。フランジの５の中央部には、外筒３の下端部に嵌合固定される嵌合用孔５１が設けられている。フランジの５の盤面には、固定ピン６が挿通されるピン孔５１が貫通されている。【００３５】  固定ピン６は、Ｌ字上に屈曲されたＬピンからなる。【００３６】    第１例によると、図１，図２に示すように、既設の杭状物Ｐの上方から内筒１を嵌合させ、固定ピン６をフランジ５のピン孔５１に打込み、フランジ５を設置面Ｇに固定するという簡単な設置工事で設置することができる。従って、既設の杭状物Ｐを利用しての緊急的な設置が可能になる。【００３７】  設置された状態では、既設の杭状物Ｐが芯棒としての機能を果たすため、固定ピン６によるフランジ５の固定でも高い設置強度が得られる。また、車両の衝突等の外力が加わった場合には、外力の衝撃を外筒３のフレキシブル部３１の変形で吸収することができる。従って、外力の衝撃による外筒３等の損壊が防止される。なお、外筒３のフレキシブル部３１に対面する部分に緩衝材２が設けられていないため、外筒３のフレキシブル部３１の変形が制約されることはない。また、外筒３のフレキシブル部３１の変形にともなう姿勢の傾倒については、緩衝材２が圧縮して吸収することになる。【００３８】  そして、既設の杭状物Ｐの設置面Ｇから露出した部分の全体が内筒１，緩衝材２，外筒３で覆われ、既設の杭状物Ｐの露出を避けることができる。従って、外観が良好になる。また、外筒３の下端部に取付けられ設置面Ｇに当接するフランジ５が固定ピン６で設置面Ｇに固定され、既設の杭状物Ｐや外筒３の下部に雨水，上砂が付着しやすい凹凸構造が存在しなくなる。従って、汚損，劣化等が生じにくくなる。【００３９】  設置された状態での表示部４は、区画，案内等の各種の表示を常設的に行うことになる。特に、発光表示体４２は、発光体が発光することで区画，案内等の各種の表示顕著化されるため、高度の表示機能が備えられている。ただし、発光表示体４２については、外筒３から頭部３２を取外して、操作スイッチ１０をＯＦＦに切換えてから頭部３２を外筒３に戻すことで、発光体の発光を停止させることができる。従って、不要時には、発光表示体４２の発光体の発行を停止させて、バッテリ８の消耗を避けることができる。【００４０】  さらに、第１例では、外筒３の頭部３２の交換が可能であることから、頭部３２の大径部分３２ａを適宜変更したものを各種用意しておくことにより、多様な区画，案内等の各種の表示を行うことができる。即ち、図６（Ａ）に示すように、外筒３の頭部３２の大径部分３２ａの外周面に反射表示帯４１を巻付け貼着する。また、図６（Ｂ）に示すように、外筒３の頭部３２の大径部分３２ａを発光体を内蔵した球体３２ｄとする。また。図６（Ｃ）に示すように、外筒３の頭部３２の大径部分３２ａを矢印形の表示板３２ｅとする。【００４１】  なお、フランジ５がＬピンからなる固定ピン６で固定されてい���ため、固定ピン６を引抜いて既設の杭状物Ｐから持上げて簡単に除去することができる。従って、既設の杭状物Ｐを利用しての臨時的な設置も可能になる。【００４２】  図７は、本考案に係る標識柱を実施するための最良の形態の第２例を示すものである。【００４３】  第２例は、内筒１の軸長方向の全長に２つの切割１１，１２が設けられて、内筒１が二分割された格好となっている。【００４４】  第２例によると、内筒１の径の拡張が可能になるため、径の異なる既設の杭状物Ｐや形状の異なる既設の杭状物Ｐに使用することができ汎用性が得られる。【００４５】  以上、図示した各例の外に、既設の杭状物Ｐの形状に対応して内筒１を円筒形以外の角筒等の形状とすることも可能である。【００４６】  さらに、緩衝材２を円筒形に成形せずに、不定形の緩衝材２を内筒１，外筒３の間に詰込むことも可能である。【００４７】  さらに、固定ピン６を強固なアンカボルト等とすることも可能である。
【図面の簡単な説明】
【００４８】
【図１】  本考案に係る標識柱を実施するための最良の形態の第１例の分解状態の斜視図である。
【図２】  図１の組立て設置状態図である。
【図３】  図２の拡大横断面図である。
【図４】  図２の一部を省略した拡大縦断面図である。
【図５】  図２の組立てにともなう要部の動作を示す側面図である。
【図６】  図１の要部の交換部品を示す斜視図であり、（Ａ）〜（Ｃ）に交換部品の種類が示されている。
【図７】  本考案に係る標識柱を実施するための最良の形態の第２例の断面図である。
【符号の説明】
【００４９】１            内筒
２            緩衝材
３            外筒
４            表示部
５            フランジ
６            固定ピン
Ｇ            設置面
Ｐ            既設の杭状物
【図１】
0003162232.tif 000003
【図２】
0003162232.tif 000004
【図３】
0003162232.tif 000005
【図４】
0003162232.tif 000006
【図５】
0003162232.tif 000007
【図６】
0003162232.tif 000008
【図７】
0003162232.tif 000009